(57)【要約】【課題】収納時にかさばることなく、例えばテーブルに置いたときに確実な安定性を有する使い捨てトレイを提供する。【解決手段】カナダ標準フリーネス（ＣＳＦ）が５５０ｍｌ以下のパルプからなるパルプモールド製の薄肉トレイであって、該トレイは凹状収納部を有し、かつ、該凹状収納部は底部の縁辺に沿う側壁部の複数箇所に設けられた逆Ｔ字形スリットを有し、前記トレイの外周縁の少なくとも一部はトレイの内向に湾曲され、該湾曲周縁部からトレイの底部方向に、突出片をトレイの最深部と同じ深さに先端が位置するように突出配置する。【選択図】　図１
2004106935.tif 000002
【特許請求の範囲】
【請求項１】
カナダ標準フリーネス（ＣＳＦ）が５５０ｍｌ以下のパルプからなるパルプモールド製の薄肉トレイであって、該トレイは凹状収納部を有し、かつ、該凹状収納部は底部の縁辺に沿う側壁部の複数箇所に設けられた逆Ｔ字形スリットを有し、前記トレイの外周縁の少なくとも一部はトレイの内向に湾曲され、該湾曲周縁部からトレイの底部方向に、突出片がトレイの最深部と同じ深さに先端が位置するように突出配置されていることを特徴とする、使い捨てトレイ。
【請求項２】
前記凹状収納部の側壁部の逆Ｔ字形スリットを設けた部位を、該凹状収納部の内側に突出するように湾曲させたことを特徴とする、請求項１記載の使い捨てトレイ。
【請求項３】
前記突出片に、上下方向に伸びる凸状又は凹状の筋部を設けたことを特徴とする、請求項１又は２記載の使い捨てトレイ。
【発明の詳細な説明】
【０００１】
【発明の属する技術分野】
本件は使い捨てトレイに関し、より詳しくは、例えばテーブルに置いたときのトレイの安定性を向上させた使い捨てトレイに関する。
【０００２】
【従来の技術】
従来、パルプモールドで構成されたトレイについては、例えば特開平１１−２２７７３６号公報、特開平８−２１７０５０号公報、実開昭６４−２０４１９号公報に開示されているように、トレイの内側に紙コップ等を載置する凹状収納部を設け、また、トレイ本体のねじれに抵抗する剛性を与えるため、トレイの内側にリブ部を設け、また、トレイの外周縁に沿ってフランジ部を設けたトレイが知られている。
【０００３】
【発明が解決しようとする課題】
しかしながら、これら従来のトレイは、例えば特開平１１−２２７７３６号公報、実開昭６４−２０４１９号公報のように、凹状収納部が直接トレイ本体の底部を構成するため、例えばトレイをテーブルに置いたとき、凹状収納部の形状によってはトレイの安定性が損なわれることがあった。また、特開平８−２１７０５０号公報には、トレイの外周部を囲む側面板を設けた合成樹脂製のトレイが開示されているが、該側面板が垂直の場合、トレイを収納するとき重ねて収納することが困難となり、また該側面板がトレイの外方に向かって斜めに突出している場合、トレイの収納時に重ねることはできるが、側面板が外方に突出した分、かさばって収納しにくくなるということがあった。
【０００４】
本発明はかかる事情に鑑みなされたもので、収納時にかさばることなく、例えばテーブルに置いたときに確実な安定性を有する使い捨てトレイを提供することにある。
【０００５】
【課題を解決するための手段】
前記課題を解決するための本発明の使い捨てトレイは、カナダ標準フリーネス（ＣＳＦ）が５５０ｍｌ以下のパルプからなるパルプモールド製の薄肉トレイであって、該トレイは凹状収納部を有し、かつ、該凹状収納部は底部の縁辺に沿う側壁部の複数箇所に設けられた逆Ｔ字形スリットを有し、前記トレイの外周縁の少なくとも一部はトレイの内向に湾曲され、該湾曲周縁部からトレイの底部方向に、突出片がトレイの最深部と同じ深さに先端が位置するように突出配置されていることを特徴とする、使い捨てトレイである。
【０００６】
【発明の実施の形態】
以下、図面を参照して本発明の実施の一形態について詳細に説明するが、本発明はこれに限定されるものではない。図１は本発明の実施の一形態である使い捨てトレイの斜視図、図２は図１の使い捨てトレイの平面図である。図中の符号１はトレイ、２は周縁部、２ａ，２ｂ，２ｃ，２ｄは辺、３ａ，３ｂは凹状収納部、３ａ’，３ｂ’は凹状収納部の底の縁辺、４はスリット、４ａは押え片、５ａ，５ｂは突出片、５ａ’，５ｂ’は筋部、６ａ，６ｂはリブ部、６ａ’，６ｂ’はリブ部の凸部、７は凹部、７ａ，７ｂ，７ｃ，７ｄは凹部の縁辺である。
【０００７】
図１及び図２に示す使い捨てトレイは、低コストで廃棄処分も容易でかつ再資源化も可能なパルプモールド製で、全周縁が逆Ｕ字形に折返されたフランジを形成し、隅角部が円弧を描いた概ね方形または角形の周縁部２を有する。該パルプモールドは、カナダ標準フリーネス（ＣＳＦ）が５５０ｍｌ以下のパルプで構成するのが安定した強度を得るために望ましい。このトレイ１の中心部には凹部７が形成され、該凹部７の縁辺７ａから周縁部の縁辺２ａの中心に向かってリブ部６ａが伸び、また、縁辺７ｂから周縁部の辺２ｂの中心に向かってリブ部６ｂが伸びている。
【０００８】
周縁部２とリブ部６ａ，６ｂは凸部を形成し、周縁部２とリブ部６ａ，６ｂに囲まれた部分は、それぞれ凹状収納部３ａ，３ｂを形成している。凹状収納部３ａ，３ｂは円弧状の頂部を具えた概ね三角形で、それら凹状収納部の底の縁辺３ａ’，３ｂ’に沿い、その壁面にそれぞれ水平に伸びるスリットと、これら各スリットの中心から上方に伸びるスリットを組み合わせ全体が逆Ｔ字形となるスリット４が設けられている。また、スリット４が設けられている部分は凹状収納部の内側に突出するように湾曲して構成されている。
【０００９】
凹状収納部３ａ，３ｂは飲料容器を固定する部分でもある。これらの凹状収納部に例えば、飲料水の紙コップを押し込むと、スリット４の周辺の押え片４ａの部分を押し広げ、前記紙コップの下端縁を水平方向の３本のスリットで受けると共に、下半部の周囲６箇所を、押え片４ａが板ばねのように外側からしっかり押えて固定する。
【００１０】
周縁部の辺２ａの中心部には、トレイ１の底部に向かって伸びる突出片５ａが設けられている。また、周縁部の辺２ｂの中心部には、トレイ１の底部に向かって伸びる突出片５ｂが設けられている。これらの突出片５ａ，５ｂはトレイ１の周縁部の辺２ａ，２ｂの一部がそれぞれリブ部６ａ，６ｂの凸部６ａ’，６ｂ’の位置まで湾曲し、該湾曲位置から、トレイ１の外周縁から外側に突出しないよう、トレイ１の底部方向に斜めに絞り込むようにして、凹状収納部３ａ，３ｂの最深部と同じ深さに先端が位置するように伸びている。さらに該突出片には、変形や折れ曲がりを防ぐための補強部分である筋部５ａ’，５ｂ’が突出片の上下方向に形成されている。これら突出片がトレイの周縁部に設けられていることにより、トレイをテーブル等に置いたとき、突出片が脚台のようにトレイを支え、安定させる。また、突出片がトレイの中心方向からトレイの外方に向かって斜めに伸びており、かつ、突出片の先端はトレイの外周縁より外側には突出しないため、トレイを収納する際、かさばることなく積み重ねて収納することができる。
【００１１】
【発明の効果】
以上、詳述したように、本発明によれば、収納時にかさばることなく、例えばテーブルに置いたときに確実な安定性を有する使い捨てトレイを提供することができる。
【図面の簡単な説明】
【図１】本発明の実施の一形態である使い捨てトレイの斜視図である。
【図２】図１の使い捨てトレイの平面図である。
【符号の説明】
１：トレイ、２：周縁部、２ａ，２ｂ，２ｃ，２ｄ：辺、３ａ，３ｂ：凹状収納部、３ａ’，３ｂ’：凹状収納部の底の縁辺、４：スリット、４ａ：押え片、５ａ，５ｂ：突出片、５ａ’，５ｂ’：筋部、６ａ，６ｂ：リブ部、６ａ’，６ｂ’：リブ部の凸部、７：凹部、７ａ，７ｂ，７ｃ，７ｄ：凹部の縁辺。
【図１】
2004106935.tif 000003
【図２】
2004106935.tif 000004